(57)【要約】      （修正有）【課題】極めて簡易な構造で低価格に製造されたもの、特に横幅の広い引出を有するキャビネット等の家具において、引出の出し入れ時における収納動作を円滑に行うことができる引出装置を提供する。【解決手段】引出収納室１２を備えたキャビネット１と、引出２と、前記引出収納室１２の両内側面１２ａ，１２ａと前記引出２との間に装着されるスライドガイドレール３と、幅方向両側に案内壁面４２ａ，４２ａを有する直線状の案内路４２が形成された案内部材４と、該案内部材４の案内路４２に遊挿される被案内部材５とからなること。前記案内部材４は前記引出２の底板部２４又は引出収納室１２の床面部１２ｂのいずれか一方に装着され、前記被案内部材５は他方側に装着され、前記案内部材４の案内路４２の案内方向は前記引出の出入方向と同方向に構成される。【選択図】図１
2010005295.tif 000002
【特許請求の範囲】
【請求項１】
引出収納室を備えたキャビネットと、引出と、前記引出収納室の両内側面と前記引出との間に装着されるスライドガイドレールと、幅方向両側に案内壁面を有する直線状の案内路が形成された案内部材と、該案内部材の案内路に遊挿される被案内部材とからなり、前記案内部材は前記引出の底板部又は引出収納室の床面部のいずれか一方に装着され、前記被案内部材は他方側に装着され、前記案内部材の案内路の案内方向は前記引出の出入方向と同方向に構成されてなることを特徴とする引出装置。
【請求項２】
請求項１において、前記スライドガイドレールのいずれか一対には外れ防止手段が具備されてなることを特徴とする引出装置。
【請求項３】
請求項１又は２において、前記被案内部材は、円筒形状に形成されてなることを特徴とする引出装置。
【請求項４】
請求項１，２又は３のいずれか１項の記載において、前記案内部材は前記引出収納室の床面部に装着されてなることを特徴とする引出装置。
【請求項５】
請求項４において、前記案内部材の案内路の長手方向端部には、前記両側壁面の間隔が次第に拡がる拡開導入部が形成され、該拡開導入部は引出収納室の奥側寄りに位置してなることを特徴とする引出装置。
【請求項６】
請求項１，２又は３のいずれか１項の記載において、前記案内部材は前記引出の底板部に装着されてなることを特徴とする引出装置。
【請求項７】
請求項６において、前記案内部材の案内路の長手方向端部には、前記両側壁面の間隔が次第に拡がる拡開導入部が形成され、該拡開導入部は引出の正面板部側寄りに位置してなることを特徴とする引出装置。
【発明の詳細な説明】
【技術分野】
【０００１】
本発明は、極めて簡易な構造で低価格に製造されたもので、特に横幅の広い引出を有するキャビネット等の家具において、引出の出し入れ動作を円滑に行うことができる引出装置に関する。
【背景技術】
【０００２】
従来、引出が具備され、且つ低価格に製造されたキャビネットが存在する。特に、図８に示すように、引出の横幅が広いものが多く、横幅の広いものがそっくり収納できるものであり、たとえば布団類等の収納が容易にできるようにすることができるものである。さらに、低価格としたものであっても、キャビネットには、引出の出し入れ動作を円滑にするためのスライドレール装置が装着されているものが多くなっている。
【特許文献１】特開平１０−２１１０４５号
【発明の開示】
【発明が解決しようとする課題】
【０００３】
引出とキャビネットの収納室との間に相対的に移動するレール部材と、ローラとが備わっており、引出の出し入れが円滑にできるようになっている。引出のガイドレールは、固定レールとスライドレールと、ローラ等の部品から構成され、前記スライドレールが固定レールから迫り出して、引出をキャビネットから引き出すものである。さらに、引出の出し入れのときにローラがガイドレールから外れないようにするために、ガイドレールには、ローラの外れ防止手段として、レール部材の長手方向に沿って立上り片が形成され、レール部材に対してローラが脱落しないような構造となっている。
【０００４】
しかし、このようにローラの外れ防止手段がレール部材に形成されたものでは、製造における工程が増加し、これに比例して価格も上昇してしまうことになる。さらに、引出の幅方向両側と引出収納室の両内壁面に装着されたガイドレール装置の両方にローラの外れ防止手段が設けられると、引出とキャビネットの引出収納室とのガイドレール装置の取付精度において、極めて高いものが要求され、この高い取付精度の要求に従わないと、かえって引出の出し入れ動作が不良となるおそれが十分にある。また、高い取付け精度によって引出装置を組み付ける場合には、専門の熟練作業員でなければならない。
【０００５】
そのために、このように高い取付精度が要求されるものは、高級なキャビネット等の家具に限定され、一般に低価格にて大量に販売されるキャビネット等の家具では、購買者が自分自身で組み立てる組立てセット（キット）が多くなり、前述したように、ガイドレール装置に高精度のものは、使用されないことが多い。つまり、極めて簡易且つ低価格とした構造のガイドレール装置が使用されることになる。この簡易な構造でしかも低価格としたガイドレール装置には、前述したようなレール部材とローラとの外れ防止手段は備わっていない。或いは引出の幅方向両側のうちの一方側のガイドレール装置のみにガイドレールとローラとの外れ防止手段が備わっているものが多い。
【０００６】
そのために、図８に示すように、引出ｂがキャビネットａに収納されている状態では、前記ガイドレールｃは、固定レール内にスライドレールが収められた状態であり、引出ｂをキャビネットａから引き出すときには、前記ガイドレールｃのスライドレールが固定レールからローラを介して滑らかに迫り出し、引出ｂは、安定した引き出し動作にすることができる。しかし、キャビネットａから一旦、引き出した引出ｂは、前記ガイドレールｃのスライドレールが固定レールから迫り出した状態となり、そのためにスライドレールは略片持ち梁の状態となり、スライドレールによって引出ｂの重量の大部分を支持することになる。
【０００７】
そのためにスライドレールには引出ｂの重量負担がかかり、不安定な状態となり、固定レールとスライドレールとの間の滑り又は転がり摩擦力が増大し、引出ｂは滑らかに相互移動が行い難い状態となる。したがって、引出ｂをキャビネットａに収納しようとして、たとえば引出正面板の幅方向中心の位置から距離Ｌだけ離れた位置を押すと、その押す力Ｆによって、前記引出ｂには回転モーメントＭがかかり、引出ｂは水平面上で回転しようとする（図８参照）。このとき、前述した回転モーメントＭによって、前記引出は角度θだけ傾くことになり、引出ｂのキャビネットａへの収納は極めて困難になる。
【０００８】
そして、特に引出ｂに収納される収納物の重量が大きくなると、なおさら収納動作が困難になってくる。このように低価格の引出装置を有するキャビネット等の家具は、低価格であるがゆえに、横幅の広い引出では、特にキャビネットへの収納時の動作が行い難いという問題点があった。本発明が解決しようとする目的（技術的課題）は、引出を備えたキャビネット等の家具において、低価格で且つ簡易な構造としたものであっても、引出のキャビネットへの収納動作を円滑に行うことができるようにすることにある。
【課題を解決するための手段】
【０００９】
そこで、発明者は、上記課題を解決すべく、鋭意，研究を重ねた結果、請求項１の発明を、引出収納室を備えたキャビネットと、引出と、前記引出収納室の両内側面と前記引出との間に装着されるスライドガイドレールと、幅方向両側に案内壁面を有する直線状の案内路が形成された案内部材と、該案内部材の案内路に遊挿される被案内部材とからなり、前記案内部材は前記引出の底板部又は引出収納室の床面部のいずれか一方に装着され、前記被案内部材は他方側に装着され、前記案内部材の案内路の案内方向は前記引出の出入方向と同方向に構成されてなる引出装置としたことにより、上記課題を解決した。
【００１０】
請求項２の発明を、前述の構成において、前記スライドガイドレールのいずれか一対には外れ防止手段が具備されてなる引出装置としたことにより、上記課題を解決した。請求項３の発明を、前述の構成において、前記被案内部材は、円筒形状に形成されてなる引出装置としたことにより、上記課題を解決した。請求項４の発明を、前述の構成において、前記案内部材は前記引出収納室の床面部に装着されてなる引出装置としたことにより、上記課題を解決した。
【００１１】
請求項５の発明を、前述の構成において、前記案内部材の案内路の長手方向端部には、前記両側壁面の間隔が次第に拡がる拡開導入部が形成され、該拡開導入部は引出収納室の奥側寄りに位置してなる引出装置としたことにより、上記課題を解決した。請求項６の発明を、前述の構成において、前記案内部材は前記引出の底板部に装着されてなる引出装置としたことにより、上記課題を解決した。請求項７の発明を、前述の構成において、前記案内部材の案内路の長手方向端部には、前記両側壁面の間隔が次第に拡がる拡開導入部が形成され、該拡開導入部は引出の正面板部側寄りに位置してなる引出装置としたことにより、上記課題を解決した。
【発明の効果】
【００１２】
請求項１の発明では、極めて、簡易かつ精度の劣るガイドレール装置が具備されたものであっても、或いは低価格で比較的粗雑に製造された引出装置であっても、引出の特に収納動作時において、引出の正面の幅方向中央又は均等な間隔に手をかけなくとも、引出のキャビネットへの収納動作を円滑にすることができる。
【００１３】
すなわち、特に横幅の広い引出では、キャビネットの引出収納室から引出をキャビネットの引出収納室に収納する際に、引出正面の幅方向中心位置から離れた位置に手をかけて収納させようとすると、引出が水平面上に傾いて引出収納室と相互に干渉して、こすれあい、引出が出しにくくなる。或いは、前記引出を出し入れするためのガイドレールが低価格で精度が不良で且つローラの脱輪防止機構も具備されていない場合には、引出と引出収納室とのガイドレールのローラが相互にはずれて、より一層引出の収納が行いにくくなるものである。
【００１４】
本発明では、幅方向両側に側壁面を有する直線状の案内路が形成された案内部材と、該案内部材の案内路に遊挿される被案内部材とを備えたものであり、前記案内部材は前記引出の下面部又はキャビネットの引出収納室の床面のいずれか一方に装着され、前記被案内部材は他方側に装着され、前記案内部材の案内路の案内方向は前記引出の出入方向に等しく構成されたものである。
【００１５】
これによって、引出を引出収納室から出し入れする際において、引出の正面板部の幅方向中心位置から離れた位置に手をかけて引き出す過程で、引出に回転モーメントがかかっても、案内部材と被案内部材によって、回転モーメントを打ち消すことができ、引出の収納動作を極めて円滑に行うことができる。
【００１６】
請求項２の発明では、前記被案内部材は円筒形状に形成されたことにより、前記案内部材の案内路に遊挿し易く、且つ該案内路に沿って案内され易い構造にすることができる。請求項３の発明では、前記スライドガイドレールのいずれか一対には外れ防止手段が具備されたことで、つまり両スライドガイドレールにおいて一方側のみに外れ防止手段が具備されたものであり、他方側は外れ防止手段が備わっていないことにより、引出と、キャビネットの引出収納室の組付精度が低くとも、ローラ等が軸方向に僅かに移動自在となり、引出の収納動作時における精度の狂いの部分を吸収することができる。
【００１７】
請求項４の発明では、前記案内部材は前記引出収納室の床面に装着されたことにより、引出収納室の構成を簡単にすることができる。請求項５の発明では、案内部材の拡開導入部によって被案内部材を容易に案内路内に導入させることができる。請求項６の発明では、前記案内部材は前記引出の下面側に装着されたことにより、引出側には小部品である被案内部を装着したので、引出の構成を簡単にできる。請求項７の発明では、引出を引出収納室から出す際に、被案内部が案内部材の案内路に前記拡開導入部から円滑に遊挿することができ、引出の出し入れ動作を極めて良好にすることができる。
【発明を実施するための最良の形態】
【００１８】
以下、本発明の実施形態を図面に基づいて説明する。本発明は、図１，図２に示すように、主にキャビネット１，引出２，スライドガイドレール３，案内部材４及び被案内部材５とから構成される。キャビネット１は、図２（Ａ），図３（Ｂ）に示すように、キャビネット本体１１に、１又は複数段の引出収納室１２が形成されている。該引出収納室１２の幅方向両側には、内側面１２ａ，１２ａ  が形成され、且つ両内側面１２ａ，１２ａ  間には、床面部１２ｂが形成されている。該床面部１２ｂは、複数の引出収納室１２，１２，…が備わっている場合には、上下に隣接する引出収納室１２，１２の仕切の役目もなすものである〔図１（Ｃ）参照〕。
【００１９】
引出２は、図１（Ａ）乃至（Ｃ），図２，図３（Ａ）に示すように、正面板部２１と背面板部２２と、両側板部２３，２３と底板部２４とから構成される。そして、前記床板部２４の周囲に正面板部２１と背面板部２２及び両側板部２３，２３とがそれぞれ対向且つ平行に配置されて引出２が構成される。そして、引出２の両側板部２３，２３には、後述するスライドガイドレール３のスライドレール３２が装着され、前記キャビネット１の両内側面１２ａ，１２ａ  には固定レール３１が装着されるものである。スライドガイドレール３は、前述したように、固定レール３１とスライドレール３２とが対をなして構成されている。そして、固定レール３１に対してスライドレール３２が長手方向に沿って迫り出す構成となっている〔図２（Ｂ），図５（Ａ）参照〕。前記固定レール３１には、固定車輪３１ａが装着されている。またスライドレール３２には、可動車輪３２ａが装着されている。
【００２０】
前記固定車輪３１ａは、前記固定レール３１の長手方向一端側に垂直面上に回動自在に装着されている。また前記可動車輪３２ａは、前記スライドレール３２の長手方向一端側に垂直面上に回動自在に装着されている。そして、前記固定レール３１とスライドレール３２とが相対的に移動する状態において、前記固定車輪３１ａは、前記スライドレール３２に沿って相対的に回動移動し、同様に前記可動車輪３２ａは前記固定レール３１に沿って回動移動するものである。
【００２１】
前記スライドガイドレール３は、２対具備されて、後述するキャビネット１の引出収納室１２の両内側面１２ａ，１２ａ  と、前記引出２の両側板部２３，２３との間に装着される。その２対のスライドガイドレール３，３のうちの一方には、外れ防止手段３３が具備されている〔図１（Ｅ）参照〕。該外れ防止手段３３とは、固定レール３１とスライドレール３２とがスライド動作を行うときに、相互に外れないようにするものである。
【００２２】
具体的には、前記固定車輪３１ａ又は前記可動車輪３２ａが、前記固定レール３１又は前記スライドレール３２から脱輪することがないように、スライドレール３２に略垂下状の外れ防止板片３３ａ及び３３ｂが形成されたものである。これによって、２対のスライドガイドレール３，３のうち、１方の対は相互に外れない構造であり、他方の対は相互に外れない範囲でルーズな構成となる。そして、案内方向（引出２の出し入れ方向）と直交する方向を幅方向とすると、前記固定車輪３１ａ，可動車輪３２ａは、前記固定レール３１，スライドレール３２に対して幅方向に僅かの範囲内において移動可能な許容部分を有することができる〔図５（Ｂ）参照〕。
【００２３】
案内部材４は、図１，図２，図５，図７に示すように、案内本体４１に断面略凹形状の案内路４２が形成されたものである。該案内路４２は、断面略凹形状の溝形状の通路をなしており、その幅方向両側内には、案内壁面４２ａ，４２ａが形成されている。両案内壁面４２ａ，４２ａは、適宜の間隔をおいて平行する壁面として形成されたものである。両案内壁面４２ａ，４２ａの下端には、床面部４２ｂが形成されている。
【００２４】
前記案内路４２は、長手方向に沿って外方に向うに従い次第に拡がる拡開導入部４３が形成されている。該拡開導入部４３は、前記案内路４２の案内方向（長手方向）の端部で且つ外方に向かって、両案内壁面４２ａ，４２ａの間隔が次第に広くなるようにして形成されたものである〔図４（Ｂ）乃至（Ｄ），図５（Ａ），図７参照〕。この拡開導入部４３は、被案内部材５を案内路４２に導入案内する部位である。また案内部材４には、案内本体４１が幅方向において、２部材から構成されるタイプのものが存在する。このタイプでは、２つの前記案内壁面４２ａ，４２ａが幅方向において２つに分離したものである〔図７（Ｂ）参照〕。このタイプでは、案内路４２を構成する両案内壁面４２ａ，４２ａの間隔を任意に設定することができる。
【００２５】
前記被案内部材５は、取付ベース５１に被案内部５２が形成されたものである。前記被案内部材５は、円筒形状に形成されたもので、該被案内部５２が前記案内路４２に遊挿される。また前記被案内部材５は、円筒部が回動自在とした回転ロールタイプのものが存在する。或いは前記取付ベース５１に対して転動自在な球体部が装着されたものがある。そして、前記案内部材４は、前記キャビネット１の引出収納室１２の床面部１２ｂに装着され、被案内部材５は、前記取付ベース５１を介して引出２の底板部２４の下面側に装着される。
【００２６】
前記案内部材４の床面部１２ｂへの装着位置は、前記引出収納室１２のいずれか一方の内側面１２ａ寄りの位置である。すなわち、引出収納室１２の横幅方向の中心位置よりもその横幅方向のいずれか一方側寄りに装着されるものである。特に、前記スライドガイドレール３,３において、いずれか一方に外れ防止手段３３が具備されたものである場合には、前記案内部材４は、外れ防止手段３３が具備されていないスライドガイドレール３が装着されている内側面１２ａ側寄りに装着される。案内部材４が引出収納室１２の床面部１２ｂに装着される場合には、案内部材４の拡開導入部４３は、引出収納室１２の奥側に位置するように設置される。案内部材４は、前記引出収納室１２の床面部１２ｂにビス等の固着具を介して固着される。或いは、案内部材４は接着剤によって固着されることもある。
【００２７】
前記被案内部材５は、前記引出２を引出収納室１２に出し入れするときに、案内部材４の案内路４２に適正に入るように、前記引出２の底板部２４の下面に装着されるものであり、具体的には、引出２の底板部２４の下面側において、前記背面板部２２寄りの位置に固着されている。このような構成として、前記引出２が前記キャビネット１の引出収納室１２に収納された状態では、前記案内部材４の案内路４２から前記被案内部材５が外れている状態となる。
【００２８】
そして、前記引出２を引出収納室１２から引き出すときに、被案内部材５が前記案内部材４の案内路４２の拡開導入部４３より導入されるようにして、被案内部材５が案内路４２に案内されつつ、引出２が引出収納室１２から引き出される。また、前記案内部材４は引出２の底板部２４の下面側に装着され、被案内部材５は、引出収納室１２の床面部１２ｂに装着されることもある。この場合においても、前記案内部材４は、前記引出２の正面板部２１の横幅方向の中央ではなく端部寄りの位置であり、すなわち引出２のいずれか一方の側板部２３寄りの位置となる。被案内部材５についても、前記案内部材４の案内路４２に適正に入ると共に、案内される位置となるように装着されている。 
【００２９】
本発明では、案内部材４は、前記キャビネット１の引出収納室１２の床面部１２ｂに装着されている。引出２の底板部２４の下面側には被案内部材５が装着されている。案内部材４は、幅方向両側に側壁面４２ａ，４２ａを有する直線状の案内路４２が形成されたものであり、前記案内部材４の案内路４２の案内方向は前記引出２の出入方向に等しくなるように設定されたものである〔図１（Ａ），（Ｂ），図４，図５（Ａ），（Ｂ）等参照〕。前記案内路４２に被案内部材５の被案内部５２が遊挿されるようにして、引出２が引出収納室１２に収納される。
【００３０】
前記引出２が引出収納室１２に完全に収納された状態では、前記被案内部材５は、前記案内部材４の案内路４２から外れる構成となる〔図１（Ａ），（Ｂ）参照〕。すなわち、引出２をキャビネット１の引出収納室１２から引き出す場合には、初期状態では前記被案内部材５は、案内部材４の案内路４２ａ内に入っていない。そして、引出２を引出収納室１２から引き出す過程において、その略初期段階で案内部材４の拡開導入部４３から被案内部材５が導入され、引出２は、案内部材４と被案内部材５によって、引出収納室１２からの出し入れ方向に沿って、安定した状態で引き出すことができる。
【００３１】
さらに、引出２が引出収納室１２から前記スライドガイドレール３の引き出し範囲内で最も引き出された状態から、再度、前記引出２を引出収納室１２に収納するときには、以下に述べる行程となる。つまり、前記引出２の正面板部２１の幅方向中心位置に手をかけて引出２を収納するように押し付けると、引出２はそのまま良好に移動して収納することができることもある。しかし、正面板部２１の横幅方向中央に手をかけることができない場合すなわち、前記引出２の正面板部２１の横幅方向中心位置から距離Ｌだけ離れた位置に手をかけてしまった場合では、前記引出２を引出収納室１２に収納する過程で、通常では、引出２には回転モーメントＭａがかかってしまうことになる〔図２（Ｂ），図４（Ａ），図５（Ａ）参照〕。
【００３２】
この回転モーメントＭａは、図２（Ｂ），図４（Ａ），図５（Ａ）に示すように、前記引出２を水平面上で時計方向に回転させようとする力となる。このままでは、両スライドガイドレール３，３において、それぞれのスライドガイドレール３の固定レール３１とスライドレール３２とが相互に押圧しあい、固定レール３１に対してスライドレール３２の摺動性が不良となり、ひいては引出２の収納動作が不良となってしまうおそれがある。
【００３３】
そこで、前記引出２に回転モーメントＭａがかかることによって、前記被案内部材５が案内部材４の案内路４２内で、一方の案内壁面４２ａに押圧力をもって当接することになり、その結果、該案内壁面４２ａには反力Ｔを生じる〔図４，図５（Ａ），（Ｃ）参照〕。この反力Ｔは、前記案内路４２を移動する前記被案内部材５と共に移動することになる〔図４（Ｃ），（Ｄ）参照〕。つまり、前記回転モーメントＭａによって回転しようとする動作は、前記案内部材４と被案内部材５とによって生じる反力Ｔにより打ち消され〔図４，図５（Ａ），（Ｃ）参照〕、引出２は水平面上にて傾くことなく、出し入れ方向に沿う略適正な状態で移動し、引出２が引出収納室１２内に収納される。
【００３４】
よって、前記引出２の収納動作を極めて円滑に行うことができる。また、両スライドガイドレール３，３において一方側の対のみに外れ防止手段３３が具備されたものであり、他方側の対には外れ防止手段３３が備わっていない実施形態におおいては、引出２と、キャビネット１の引出収納室１２と、スライドガイドレール３との組付精度がたとえ低くても、外れ防止手段３３が具備されていないスライドガイドレール３によって、幅方向（スライドレール３２の迫り出し方向に直交する方向）での移動が可能で、スライドガイドレール３の取付精度の誤差を吸収することができ〔図５（Ｂ）幅方向の矢印参照〕、引出２の良好な収納動作にすることができるものである。
【図面の簡単な説明】
【００３５】
【図１】（Ａ）は本発明の引出装置におけるキャビネットに引出が収納された状態の横断平面略示図、（Ｂ）は本発明の引出装置におけるキャビネット及び引出の横断平面図、（Ｃ）は（Ｂ）のＸａ−Ｘａ矢視断面図、（Ｄ）は（Ｂ）のＸｂ−Ｘｂ矢視拡大断面図、（Ｅ）は（Ｂ）のＸｃ−Ｘｃ矢視拡大断面図である。
【図２】（Ａ）は本発明の引出装置における引出を収納しようとする状態の斜視図、（Ｂ）は回転モーメントが作用した状態で引出を収納しようとする状態の横断平面略示図である。
【図３】（Ａ）は引出の下面より見た斜視図、（Ｂ）はキャビネットの一部切除した斜視図である。
【図４】（Ａ）は本発明の引出装置におけるキャビネットに引出を収納しようとする途中状態の横断平面略示図、（Ｂ）は本発明の引出装置におけるキャビネットに引出を収納しようとする横断平面図、（Ｃ）及び（Ｄ）は案内部材と被案内部材の動作状態を示す平面図である。
【図５】（Ａ）は本発明の引出装置における引出を収納しようとするときの引出に回転モーメントを案内部材と被案内部材とによって打ち消す状態を示す横断平面図、（Ｂ）は外れ防止手段が具備されないスライドガイドレールの拡大断面図、（Ｃ）は回転モーメントに対する反力がかかっている案内部材と被案内部材の動作状態を示す平面図である。
【図６】（Ａ）は本発明の引出装置における別の実施形態の引出の下面より見た斜視図、（Ｂ）はキャビネットの一部切除した斜視図、（Ｃ）は本発明の引出装置における別の実施形態の縦断正面図である。
【図７】（Ａ）は一体成形タイプの案内部材の斜視図、（Ｂ）は２部材タイプの案内部材の斜視図である。
【図８】従来技術を示す略示図である。
【符号の説明】
【００３６】
１…キャビネット、１２…引出収納室、１２ａ…内側面、１２ｂ…床面部、２…引出、
２４…底板部、３…スライドガイドレール、４…案内部材、４２…案内路、
４２ａ…案内壁面、４３…拡開導入部、５…被案内部材。
【図１】
2010005295.tif 000003
【図２】
2010005295.tif 000004
【図３】
2010005295.tif 000005
【図４】
2010005295.tif 000006
【図５】
2010005295.tif 000007
【図６】
2010005295.tif 000008
【図７】
2010005295.tif 000009
【図８】
2010005295.tif 000010